(57)【要約】【課題】  インクキャリアの誤動作を防止するインクジェットプリンタ装置を提供する。【解決手段】  インクジェットプリンタ装置１では、プリンタ本体内にインクカートリッジ１３を搭載したインクキャリア９がスキャン可能に配設され、プリンタ本体の上部には、メンテナンスのためのアクセスカバー７が開閉可能に軸支されている。アクセスカバー７の軸支されている側の近傍には、アクセスカバー７の開閉動作を検知するセンサ部１４が配設されている。アクセスカバー７の内側には、インクキャリアのキャリアリッド１１に設けられた突起部１１ａ，１１ｂに当接してアクセスカバー７が閉じられるのを防止するリブ部１６が設けられている。【選択図】        図５
2007050527.tif 000002
【特許請求の範囲】
【請求項１】
所定のインクを吐出することによって用紙に印刷を行なうプリンタ本体と、
前記プリンタ本体にスキャン可能に装着され、インクカートリッジを搭載するインクキャリアと、
前記プリンタ本体の上部に配設されたトップカバーと、
前記トップカバーに開閉可能に取付けられ、前記インクキャリアのメンテナンスを行なうためのアクセスカバーと
前記アクセスカバーの状態を検知し、前記アクセスカバーが閉じられた状態では前記インクキャリアを所定のホームポジションに移動させ、前記アクセスカバーが開けられた状態では前記インクキャリアを所定のメンテナンスポジションにまで移動させるセンサ部と
を有し、
前記インクキャリアは、
前記インクカートリッジを下方から保持する保持部本体と、
前記保持部本体の一端側に開閉可能に配設されたキャリアリッドと、
前記保持部本体の他端側に取付けられ、前記キャリアリッドが閉じられた状態で前記キャリアリッドに設けられた突起部を係止するオープンレバーと
を有し、
前記アクセスカバーは、前記キャリアリッドが開いた状態で前記アクセスカバーが倒れて閉じようとすると、前記キャリアリッドに設けられた前記突起部に当接して前記アクセスカバーが閉じるのを阻止するリブ部を備えた、インクジェットプリンタ装置。
【請求項２】
所定のインクを吐出することによって用紙に印刷を行なうプリンタ本体と、
前記プリンタ本体にスキャン可能に装着され、開閉可能に軸支されるキャリアリッドを有してインクカートリッジを搭載するインクキャリアと、
前記プリンタ本体の上部に開閉可能に取付けられ、前記インクキャリアのメンテナンスを行なうための覆い部と
を有し、
前記覆い部は、前記キャリアリッドが開いた状態で前記覆い部が倒れて閉じようとすると、前記キャリアリッドに当接して前記覆い部が閉じるのを阻止する倒れ阻止部を備えた、インクジェットプリンタ装置。
【請求項３】
前記覆い部の状態を検知し、前記覆い部が閉じられた状態では前記インクキャリアを所定のホームポジションに移動させ、前記覆い部が開けられた状態では前記インクキャリアを所定のメンテナンスポジションにまで移動させるセンサ部を備えた、請求項２記載のインクジェットプリンタ装置。
【請求項４】
前記キャリアリッドは、軸支される側とは反対の側に前記キャリアリッドが閉じられた状態で前記インクキャリアに係止される突起部を備え、
前記突起部に前記倒れ阻止部が当接することによって前記覆い部が閉じられるのを阻止する、請求項２または３に記載のインクジェットプリンタ装置。
【請求項５】
前記倒れ阻止部は前記突起部に当接するリブ部である、請求項４記載のインクジェットプリンタ装置。
【請求項６】
前記突起部は前記インクキャリアがスキャンする方向に１対設けられ、
前記リブ部は前記インクキャリアがスキャンする方向に延在している、請求項５記載のインクジェットプリンタ装置。
【請求項７】
前記突起部は前記インクキャリアがスキャンする方向に延在し、
前記リブ部は前記インクキャリアがスキャンする方向と交差する方向に延在している、請求項５記載のインクジェットプリンタ装置。
【請求項８】
前記倒れ阻止部は前記突起部を受入れる凹部である、請求項２または３に記載のインクジェットプリンタ装置。
【請求項９】
前記プリンタ本体の上方に前記プリンタ本体に対して開閉可能に軸支されたスキャナ部を備え、
前記覆い部は前記スキャナ部であり、
前記倒れ阻止部は前記スキャナ部の底面部分に配設された、請求項２〜８のいずれかに記載のインクジェットプリンタ装置。
【発明の詳細な説明】
【技術分野】
【０００１】
本発明はインクジェットプリンタ装置に関し、特に、インクカートリッジを交換するためのアクセスカバーを備えたインクジェットプリンタ装置に関するものである。
【背景技術】
【０００２】
プリンタ装置の一形態としてインクジェットプリンタ装置がある。図１１に示すように、インクジェットプリンタ装置１０１では、プリンタ本体内に、インクカートリッジ１１４（図１２参照）を搭載したインクキャリア１０９がスキャン可能に配設されている。また、プリンタ本体のトップカバー１０５には、インクカートリッジ１１４を交換するためのアクセスカバー１０７が開閉可能に取り付けられている。そのアクセスカバー１０７の開閉動作を検知して、インクキャリア１０９をホームポジションと所定のメンテナンス位置との間を移動させるためのセンサ部１１４が配設されている。
【０００３】
インクキャリア１０９は、インクジェットプリンタ装置１０１がスタンバイの状態では、プリンタ本体側方部の所定のホームポジションに待機している。一方、用紙に印字動作を行なう際には、インクキャリア１０９はホームポジションから移動し、用紙の所定の幅内をスキャンしながらインクカートリッジ１１３（図１２等参照）からインクが用紙に向けて吐出される。
【０００４】
インクカートリッジ１１３内のインクがなくなると、インクカートリッジ１１３の交換作業が行なわれる。インクカートリッジ１１３を交換する際には、図１２に示すように、トップカバー１０５に設けられたアクセスカバー１０７が開けられる。アクセスカバー１０７が開けられると、センサ部１１４がこれを検知し、インクキャリア１０９がホームポジションからメンテナンス位置まで移動して、その位置で待機をする。
【０００５】
次に、インクキャリア１０９のオープンレバー１１２を手前に引くことによって、キャリアリッド１１１がオープンレバー１１２によって係止される状態から開放される。こうすることで、図１３に示すように、インクカートリッジ１１３を搭載する保持部本体１１０に軸支されたキャリアリッド１１１が開けられて、その状態で、インクのなくなったインクカートリッジ１１３が新しいインクカートリッジに交換されることになる。
【０００６】
新しいインクカートリッジに交換されると、キャリアリッド１１１が閉じられてオープンレバー１１２によってキャリアリッド１１１が係止される。そして、最後にアクセスカバー１０７が閉じられると、センサ部１１４がこれを検知して、インクキャリア１０９がメンテナンス位置からホームポジションまで移動して、その位置で待機をする。このようにして、一連のインクカートリッジの交換作業が完了する。なお、このようなインクキャリアを備えたインクジェット装置は、たとえば特許文献１に開示されている。
【特許文献１】特開２００３−１１３４８号公報
【発明の開示】
【発明が解決しようとする課題】
【０００７】
しかしながら、従来のインクジェットプリンタ装置では次のような問題点があった。インクカートリッジの交換は、図１３に示すように、アクセスカバー１０７が開けられ、かつ、キャリアリッド１１１が開けられた状態で行なわれる。この状態において、新しいインクカートリッジが保持部本体１１０に装着される前、あるいは装着された後に、アクセスカバー１０７に手や物等が当たりアクセスカバー１０７が倒れて閉じられることがある。そうすると、センサ部１１４がアクセスカバー１０７が閉じられたことを検知して、インクキャリア１０９をホームポジションにまで移動させることになる。
【０００８】
ところが、アクセスカバー１０７が倒れると、アクセスカバー１０７がキャリアリッド１１１に当たってしまい、キャリアリッド１１１も倒れてしまうことになる。このとき、図１４に示すように、キャリアリッド１１１はオープンレバー１１２によって係止されずに完全に閉じられた状態ではない状態（半開き状態）でインクキャリア１０９が移動することになる。そのため、半開き状態のキャリアリッド１１１が、インクキャリア１０９の移動に伴ってプリンタ本体１０３内において他の部材等と緩衝して騒音が発生することがあった。このように、従来のインクジェットプリンタ装置では、キャリアリッド１１１が完全に閉じられていないのにもかかわらず、インクキャリア１０９が移動してしまうという誤動作を起こすことがあった。
【０００９】
本発明は上記問題点を解決するためになされたものであり、その目的は、インクキャリアの誤動作を防止するインクジェットプリンタ装置を提供することである。
【課題を解決するための手段】
【００１０】
本発明に係るインクジェットプリンタ装置は、プリンタ本体とインクキャリアとトップカバーとアクセスカバーとセンサ部とを備えている。プリンタ本体は、所定のインクを吐出することによって用紙に印刷を行なう。インクキャリアはプリンタ本体にスキャン可能に装着され、インクカートリッジを搭載する。トップカバーはプリンタ本体の上部に配設されている。アクセスカバーは、インクキャリアのメンテナンスを行なうためにトップカバーに開閉可能に取付けられている。センサ部はアクセスカバーの状態を検知し、アクセスカバーが閉じられた状態ではインクキャリアを所定のホームポジションに移動させ、アクセスカバーが開けられた状態ではインクキャリアを所定のメンテナンスポジションにまで移動させる。インクキャリアは保持部本体とキャリアリッドとオープンレバーとを有している。保持部本体はインクカートリッジを下方から保持する。キャリアリッドは保持部本体の一端側に開閉可能に配設されている。オープンレバーは保持部本体の他端側に取付けられ、キャリアリッドが閉じられた状態でキャリアリッドに設けられた突起部を係止する。アクセスカバーは、キャリアリッドが開いた状態でアクセスカバーが倒れて閉じようとすると、キャリアリッドに設けられた突起部に当接してアクセスカバーが閉じるのを阻止するリブ部を備えている。
【００１１】
この構成によれば、アクセスカバーにリブ部が設けられていることによって、キャリアリッドを開けてインクカートリッジを交換している間に、アクセスカバーが倒れて閉じようとするようなことがあっても、キャリアリッドに設けられた突起部がリブ部に当接して、アクセスカバーが完全に閉じられるのが阻止される。これにより、センサ部によってアクセスカバーが閉じられたことが検知されず、インクキャリアをホームポジションにまで移動させるのを防止することができ、その結果、キャリアリッドが半開きの状態でインクキャリアが移動するというインクジェットプリンタ装置の誤動作を防ぐことができて、半開き状態のキャリアリッドがプリンタ本体内において他の部材等と緩衝して騒音が発生したりする不具合を防止することができる。
【００１２】
本発明に係る他のインクジェエトプリンタ装置は、プリンタ本体とインクキャリアと覆い部とを有している。プリンタ本体は所定のインクを吐出することによって用紙に印刷を行なう。インクキャリアはプリンタ本体にスキャン可能に装着され、開閉可能に軸支されるキャリアリッドを有してインクカートリッジを搭載する。覆い部は、インクキャリアのメンテナンスを行なうためにプリンタ本体の上部に開閉可能に取付けられている。その覆い部は、キャリアリッドが開いた状態で覆い部が倒れて閉じようとすると、キャリアリッドに当接して覆い部が閉じるのを阻止する倒れ阻止部を備えている。
【００１３】
この構成によれば、覆い部に倒れ阻止部が設けられていることによって、覆い部を開けてインクカートリッジを交換している間に、覆い部が倒れて閉じようとするようなことがあっても、キャリアリッドに当接して覆い部が完全に閉じられるのが阻止される。これにより、キャリアリッドが半開きの状態でインクキャリアが移動するといった誤動作を防ぐことができて、半開き状態のキャリアリッドがプリンタ本体内において他の部材等と緩衝して騒音が発生したりする不具合を防止することができる。
【００１４】
特に、覆い部の状態を検知し、覆い部が閉じられた状態ではインクキャリアを所定のホームポジションに移動させ、覆い部が開けられた状態ではインクキャリアを所定のメンテナンスポジションにまで移動させるセンサ部を備えているような場合には、覆い部が閉じられてしまい、キャリアリッドが半開きの状態でインクキャリアが移動するといった誤動作を確実に防ぐことができる。
【００１５】
また、キャリアリッドは、軸支される側とは反対の側にキャリアリッドが閉じられた状態でインクキャリアに係止される突起部を備えるような場合には、突起部に倒れ阻止部が当接することによって覆い部が閉じられるのを阻止することが好ましい。
【００１６】
その倒れ阻止部は、より具体的には突起部に当接するリブ部であることが好ましい。
さらに具体的には、突起部はインクキャリアがスキャンする方向に１対設けられる態様では、リブ部はインクキャリアがスキャンする方向に延在していることが好ましい。また、突起部がインクキャリアがスキャンする方向に延在しているような場合には、リブ部はインクキャリアがスキャンする方向と交差する方向に延在していることが好ましい。
【００１７】
また、あるいは、倒れ阻止部は突起部を受入れる凹部であってもよい。そして、さらに、プリンタ本体の上方にプリンタ本体に対して開閉可能に軸支されたスキャナ部を備えるような場合には、覆い部はスキャナ部であり、倒れ阻止部はそのスキャナ部の底面部分に配設されていることが好ましい。
【発明を実施するための最良の形態】
【００１８】
本発明の実施の形態に係るレーザプリンタ装置について説明する。図１に示すように、インクジェットプリンタ装置１では、プリンタ本体３内に、インクカートリッジを搭載したインクキャリア９がスキャン可能（矢印）に配設されている。また、プリンタ本体３の上部にはトップカバー５が設けられている。
【００１９】
そのトップカバー５には、インクカートリッジを交換するためのアクセスカバー７が開閉可能に軸支されている。アクセスカバー７の軸支されている側の近傍には、アクセスカバー７の開閉動作を検知して、インクキャリア９をホームポジションと所定のメンテナンス位置との間を移動させるためのセンサ部１４が配設されている。アクセスカバー７が閉じられた状態では、図２に示すように、センサ部１４のスイッチ部１４ａはアクセスカバー７に設けられたスイッチ押さえ部１４ｂによって押えられずオフの状態とされる。
【００２０】
一方、アクセスカバー７が開けられると、図３に示すように、スイッチ部１４ａがスイッチ押さえ部１４ｂによって押えられてオンの状態となる。アクセスカバー７が開けられてオンの状態になると、インクキャリア９がメンテナンスポジションにまで移動する。反対にアクセスカバー７が閉じられてオフの状態になると、インクキャリア９はホームポジションまで移動する。
【００２１】
アクセスカバー７の内側には、図１および図４に示すように、インクキャリアのキャリアリッド１１に当接してアクセスカバー７が閉じられるのを防止するリブ部１６が設けられている。この場合、リブ部１６は、インクキャリア９がスキャンする方向（図１矢印参照）に延在する。インクキャリア９は、インクカートリッジ１３を下方から保持する保持部本体１０と、その保持部本体１０の一端側に開閉可能に軸支されたキャリアリッド１１と、そのキャリアリッド１１が閉じられた状態でキャリアリッド１１を係止するオープンレバー１２とを備えて構成される。
【００２２】
図５に示すように、キャリアリッド１１における軸支されている側と反対側の端部には１対の突起部１１ａ，１１ｂが設けられている。この突起部１１ａ，１１ｂがオープンレバー１２によって係止される。そして、後述するように、この突起部１１ａ，１１ｂがアクセスカバー７に設けられたリブ部１６に当接することになる。
【００２３】
次に、上述したインクジェットプリンタ装置１のインクカートリッジの交換作業について説明する。まず、図１に示すように、アクセスカバー７が閉じられてインクジェットプリンタ装置１がスタンバイの状態では、インクキャリア９は所定のホームポジションに待機をしている。
【００２４】
次に、アクセスカバー７が開けられると、図３に示すように、センサ部１４のスイッチ部１４ａがスイッチ押さえ部１４ｂによって押えられてオンの状態となり、図４に示すように、インクキャリア９がメンテナンスポジションにまで移動する。次に、オープンレバー１２を手前に引くことによって、キャリアリッド１１がオープンレバー１２によって係止された状態から開放される。こうして、図５に示すように、キャリアリッド１１が開けられる。
【００２５】
キャリアリッド１１が開けられた状態で、インクのなくなったインクカートリッジ１３を取外して新しいインクカートリッジ１３に交換する。新しいインクカートリッジ１３が装着されると、キャリアリッド１１が閉じられて、キャリアリッド１１に設けられた突起部１１ａがオープンレバー１２によって係止される。そして、最後にアクセスカバー７が閉じられると、図２に示すように、センサ部１４のスイッチ部１４ａがスイッチ押さえ部１４ｂによって押えられた状態から開放されてオフの状態となり、インクキャリア９がメンテナンス位置からホームポジションまで移動して、その位置で待機をする。このようにして、一連のインクカートリッジの交換作業が完了する。
【００２６】
上述したインクジェットプリンタ装置１では、図５に示すように、アクセスカバー７の内側にリブ部１６が設けられている。これにより、キャリアリッド１１を開けてインクカートリッジ１３を交換している間に、アクセスカバー７に手や物等が当たってアクセスカバー７が倒れるようなことがあっても、図６に示すように、キャリアリッド１１に設けられた１対の突起部１１ａ，１１ｂがリブ部１６に当接して、アクセスカバー７が完全に閉じられるのが阻止される。アクセスカバー７が完全に閉じられないようにすることで、センサ部１４によってアクセスカバー７が閉じられたことが検知されず、インクキャリア９をホームポジションにまで移動させるのを防止することができる。
【００２７】
こうして、キャリアリッド１１が半開きの状態でインクキャリア１０９が移動するという従来のインクジェットプリンタ装置の誤動作を防ぐことができ、半開き状態のキャリアリッド１１がプリンタ本体３内において他の部材等と緩衝して騒音が発生したりする不具合を防止することができる。
【００２８】
なお、上述したインクジェットプリンタ装置１では、アクセスカバー７が閉じられるのを阻止する構造として、キャリアリッド１１をオープンレバー１２によって係止するための突起部１１ａ，１１ｂと、その突起部１１ａ，１１ｂに当接するリブ部１６とを例に挙げて説明した。アクセスカバー７が閉じられるのを阻止する構造としては、このような突起部１１ａ，１１ｂとリブ部１６とに限られず、リブ部を設ける代わりに、たとえば図７に示すように、アクセスカバー７に一方向に延在する凹部１８を設けてもよく、突起部が凹部１８に受入れられることで、アクセスカバー７が閉じられるのを阻止して、インクキャリアの誤動作を防止することができる。
【００２９】
また、図８に示すように、突起部として、１対の突起部１１ａ，１１ｂの代わりにスキャン方向に延在する突起部１１ｃをキャリアリッド１１に設ける一方、アクセスカバー７に、インクキャリアのスキャン方向と直交する方向に延在するリブ部１７を設けてもよい。この場合にも、突起部１１ｃがリブ部１７に当接して、アクセスカバー７が閉じられるのを阻止して、インクキャリアの誤動作を防止することができる。
【００３０】
また、上記実施の形態では、インクジェットプリンタ装置そのものを例に挙げて説明したが、スキャナを備えたスキャナ付きインクジェットプリンタ装置であってもよい。このようなスキャナ付きインクジェットプリンタ装置では、図９および図１０に示すように、プリンタ本体３の上方にスキャナ部４がプリンタ本体３に対して開閉可能に配設されている。
【００３１】
プリンタ本体３の上面部分にはメンテナンス用の開口部３ａが形成されている。通常の状態では、この開口部３ａはスキャナ部４によって覆われた状態になる。スキャナ部４の裏側には、上述したアクセスカバーに設けられたリブ部と同様のリブ部１６が設けられている。また、スキャナ部４の軸支されている側の近傍には、スキャナ部４の開閉を検知して、インクキャリア９をホームポジションと所定のメンテナンス位置との間を移動させるためのセンサ部１４が配設されている。
【００３２】
このようなスキャナ付きインクジェットプリンタ装置２でも、スキャナ部４の裏側にリブ部１６が設けられていることによって、スキャナ部４を開けてインクカートリッジを交換している間に、スキャナ部４が閉じるようなことがあっても、図６に示すのと同様に、キャリアリッドに設けられた１対の突起部がリブ部１６に当接して、スキャナ部４が完全に閉じられるのが阻止される。スキャナ部４が完全に閉じられないようにすることで、センサ部１４によってスキャナ部４が閉じられたことが検知されず、インクキャリア９をホームポジションにまで移動させるのを防止することができる。
【００３３】
その結果、キャリアリッドが半開きの状態でインクキャリアが移動するという誤動作を防いで、半開き状態のキャリアリッドがプリンタ本体３内において他の部材等と緩衝して騒音が発生したりする不具合を防止することができる。
【００３４】
今回開示された実施の形態は例示にすぎず、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３５】
【図１】本発明の実施の形態に係るインクジェットプリンタ装置の斜視図である。
【図２】同実施の形態において、センサ部とその近傍の構造を示す第１の部分断面図である。
【図３】同実施の形態において、センサ部とその近傍の構造を示す第２の部分断面図である。
【図４】同実施の形態において、アクセスカバーが開いた状態を示す斜視図である。
【図５】同実施の形態において、アクセスカバーとキャリアリッドが開いた状態を示す斜視図である。
【図６】同実施の形態において、アクセスカバーのリブ部がキャリアリッドの突起部に当接した状態を示す部分側面図である。
【図７】同実施の形態において、変形例に係るインクジェットプリンタ装置のアクセスカバーに設けた凹部にキャリアリッドの突起部が受入れられた状態を示す部分側面図である。
【図８】同実施の形態において、他の変形例に係るインクジェットプリンタ装置のアクセスカバーに設けたリブ部がキャリアリッドの突起部に当接した状態を示す部分側面図である。
【図９】同実施の形態において、さらに他の変形例に係るスキャナ付きインクジェットプリンタ装置の斜視図である。
【図１０】同実施の形態において、図９に示すスキャナ付きプリンタ装置のスキャナ部が開けられた状態を示す斜視図である。
【図１１】従来のインクジェットプリンタ装置の斜視図である。
【図１２】従来のインクジェットプリンタ装置において、アクセスカバーが開いた状態を示す斜視図である。
【図１３】従来のインクジェットプリンタ装置において、アクセスカバーとキャリアリッドが開いた状態を示す斜視図である。
【図１４】従来のインクジェットプリンタ装置における問題点を説明するための斜視図である。
【符号の説明】
【００３６】
１  インクジェットプリンタ装置、２  スキャナ付きインクジェットプリンタ装置、３  プリンタ本体、３ａ  開口部、４  スキャナ部、５  トップカバー、７  アクセスカバー、９  インクキャリア、１０  保持部本体、１１  キャリアリッド、１１ａ，１１ｂ，１１ｃ  突起部、１２  オープンレバー、１３  インクカートリッジ、１４  センサ部、１４ａ  スイッチ部、１４ｂ  スイッチ押さえ部、１６，１７  リブ部、１８  凹部。
【図１】
2007050527.tif 000003
【図２】
2007050527.tif 000004
【図３】
2007050527.tif 000005
【図４】
2007050527.tif 000006
【図５】
2007050527.tif 000007
【図６】
2007050527.tif 000008
【図７】
2007050527.tif 000009
【図８】
2007050527.tif 000010
【図９】
2007050527.tif 000011
【図１０】
2007050527.tif 000012
【図１１】
2007050527.tif 000013
【図１２】
2007050527.tif 000014
【図１３】
2007050527.tif 000015
【図１４】
2007050527.tif 000016